(57)【要約】      （修正有）【課題】１つの原稿を複数回読み取り，その複数の画像を１枚の用紙に印刷する場合に，その出力物について，同じ原稿であることをチェック可能な画像形成装置を提供する。【解決手段】原稿の読み取りを２回行い，それぞれの読み取り時に原稿から識別情報を取得する（Ｓ１０１〜Ｓ１０４）。１回目の読み取り時に取得した識別情報と，２回目の読み取り時に取得した識別情報とが一致した場合に（Ｓ１０５：ＹＥＳ），１回目の読み取りで読み取った画像と２回目の読み取りで読み取った画像とを，１枚の用紙に印刷する。【選択図】図４
2013077943.tif 000002
【特許請求の範囲】
【請求項１】
原稿の第１面の画像を読み取る第１読取部と，
前記第１読取部での読み取り時に，前記第１読取部の読み取り対象の原稿から当該原稿の識別情報を取得する第１取得部と，
前記第１読取部での読み取り後に，原稿の第２面の画像を読み取る第２読取部と，
前記第２読取部での読み取り時に，前記第２読取部の読み取り対象の原稿から当該原稿の識別情報を取得する第２取得部と，
前記第１取得部が取得した前記識別情報と，前記第２取得部が取得した前記識別情報とが一致するか否かを判断する判断部と，
前記判断部にて識別情報が一致すると判断した場合，前記第１読取部で読み取った前記第１面の画像と前記第２読取部で読み取った前記第２面の画像とを，１枚の用紙に印刷する印刷部と，
を備えることを特徴とする画像形成装置。
【請求項２】
請求項１に記載する画像形成装置において，
前記印刷部は，前記判断部にて識別情報が一致しないと判断した場合に，前記第１読取部で読み取った前記第１面の画像と，前記第２読取部で読み取った前記第２面の画像と，の印刷を行わないことを特徴とする画像形成装置。
【請求項３】
請求項１に記載する画像形成装置において，
前記印刷部は，前記判断部にて識別情報が一致しないと判断した場合に，前記判断部にて識別情報が一致した場合に印刷する画像と異なる画像である識別画像を印刷することを特徴とする画像形成装置。
【請求項４】
請求項３に記載する画像形成装置において，
前記印刷部は，前記識別画像として，原稿が不一致であることを示すマークを印刷することを特徴とする画像形成装置。
【請求項５】
請求項３に記載する画像形成装置において，
前記印刷部は，前記識別画像として，前記判断部にて識別情報が一致した場合に印刷する画像と色違いの画像を印刷することを特徴とする画像形成装置。
【請求項６】
請求項３に記載する画像形成装置において，
前記印刷部は，前記識別画像として，前記判断部にて識別情報が一致した場合に印刷する画像と配置が異なる画像を印刷することを特徴とする画像形成装置。
【請求項７】
請求項１に記載する画像形成装置において，
前記判断部にて識別情報が一致しないと判断した場合に，前記第１読取部で読み取った前記第１面の画像と，前記第２読取部で読み取った前記第２面の画像と，の一方を削除し，再度，原稿を読み取る再読取部と，
前記再読取部での読み取り時に，前記再読取部の読み取り対象の原稿から識別情報を取得する再取得部と，
前記再取得部が取得した前記識別情報と，前記再取得部で削除されなかった画像の読み取り時に取得された識別情報とが一致するか否かを判断する再判断部と，
前記再判断部にて識別情報が一致すると判断した場合に，前記再読取部で読み取った画像と前記削除部で削除されなかった画像とを１枚の用紙に印刷するリカバリ印刷部と，
を備えることを特徴とする画像形成装置。
【請求項８】
請求項１に記載する画像形成装置において，
前記判断部にて識別情報が一致しないと判断した場合に，再度，原稿を読み取る第２再読取部と，
前記第２再読取部での読み取り時に，前記第２再読取部の読み取り対象の原稿から識別情報を取得する第２再取得部と，
前記第１取得部が取得した前記識別情報および前記第２取得部が取得した前記識別情報のうち，前記第２再取得部が取得した前記識別情報と一致する識別情報があるか否かを判断する第２再判断部と，
前記第２再判断部にて一致する識別情報があると判断した場合，前記第２再読取部で読み取った画像と前記第２再判断部にて一致すると判断された識別情報に対応する画像とを１枚の用紙に印刷する第２リカバリ印刷部と，
を備えることを特徴とする画像形成装置。
【請求項９】
請求項１から請求項８のいずれか１つに記載する画像形成装置において，
前記判断部にて識別情報が一致しないと判断した場合に，原稿が不一致であることを報知する報知部を備えることを特徴とする画像形成装置。
【請求項１０】
請求項１から請求項９のいずれか１つに記載する画像形成装置において，
前記判断部は，前記第１取得部が取得した前記識別情報と，前記第２取得部が取得した前記識別情報との少なくとも一方で，複数の識別情報を取得した場合には，識別情報が一致しないと判断することを特徴とする画像形成装置。
【発明の詳細な説明】
【技術分野】
【０００１】
本発明は，原稿を読み取り，その読み取った原稿の画像データを用紙に印刷する画像形成装置に関する。さらに詳細には，複数の画像データを１枚の用紙に印刷する画像形成装置に関するものである。
【背景技術】
【０００２】
従来から，身分証明書等の特別な原稿を読み取り，その読み取った画像を用紙に印刷する場合に，その特別な原稿の読み取りないし印刷の設定を簡単に行うためのモードを有する画像形成装置が知られている。
【０００３】
例えば，特許文献１には，免許証のコピーを行うための免許証モードを有する画像形成装置が開示されている。特許文献１に開示されたモードによれば，ガイダンスに従ってユーザによる免許証のコピー設定が行われ，免許証の表面および裏面をスキャナによってそれぞれ順に読み取り，その免許証の表面および裏面の画像を１枚の用紙の一方の面に印刷する。
【先行技術文献】
【特許文献】
【０００４】
【特許文献１】特開２００９−１００１０２号公報
【発明の概要】
【発明が解決しようとする課題】
【０００５】
しかしながら，前記した従来の技術には，次のような問題があった。すなわち，原稿の表面と裏面とを読み取るような，１つの原稿に対して複数回の読み取りを行い，その複数の画像を１枚の用紙に印刷する場合，必ずしもユーザが同一の原稿を読み取らせるとは限らない。そのため，出力物について，原稿の同一性が問題となる。
【０００６】
本発明は，前記した従来の技術が有する問題点を解決するためになされたものである。すなわちその課題とするところは，１つの原稿を複数回読み取り，その複数の画像を１枚の用紙に印刷する場合に，その出力物について，同じ原稿である可能性が高い画像形成装置を提供することにある。
【課題を解決するための手段】
【０００７】
この課題の解決を目的としてなされた画像形成装置は，原稿の第１面の画像を読み取る第１読取部と，前記第１読取部での読み取り時に，前記第１読取部の読み取り対象の原稿から当該原稿の識別情報を取得する第１取得部と，前記第１読取部での読み取り後に，原稿の第２面の画像を読み取る第２読取部と，前記第２読取部での読み取り時に，前記第２読取部の読み取り対象の原稿から当該原稿の識別情報を取得する第２取得部と，前記第１取得部が取得した前記識別情報と，前記第２取得部が取得した前記識別情報とが一致するか否かを判断する判断部と，前記判断部にて識別情報が一致すると判断した場合，前記第１読取部で読み取った前記第１面の画像と前記第２読取部で読み取った前記第２面の画像とを，１枚の用紙に印刷する印刷部とを備えることを特徴としている。
【０００８】
本発明の画像形成装置は，原稿の第１面の読み取りと第２面の読み取りとの，２回の読み取りを行い，それぞれの読み取り時に原稿から識別情報を取得する。原稿の識別情報の取得方法としては，例えば，原稿に組み込まれたＲＦＩＤタグの情報を読み取る方法や，原稿に印刷されたバーコードやＱＲコードを読み取る方法がある。そして，１回目の読み取り時に取得した識別情報と，２回目の読み取り時に取得した識別情報とが一致した場合に，１回目の読み取りで読み取った画像（第１面の画像）と２回目の読み取りで読み取った画像（第２面の画像）とを，１枚の用紙に印刷する。用紙への印刷では，用紙の片面に複数の画像を印刷してもよいし，両面印刷を利用して各画像をそれぞれ用紙の表裏面に印刷してもよい。
【０００９】
すなわち，本発明の画像形成装置では，１回目の読み取り対象の原稿と，２回目の読み取り対象の原稿とが一致するか否かを判断し，両者が一致する場合に印刷を行っている。つまり，原稿が一致すると判断した上で，それぞれ読み取った画像を１枚の用紙に印刷している。これにより，その印刷物について，原稿の同一性を確保できる。
【００１０】
また，前記印刷部は，前記判断部にて識別情報が一致しないと判断した場合に，前記第１読取部で読み取った前記第１面の画像と，前記第２読取部で読み取った前記第２面の画像と，の印刷を行わないとよい。この構成により，原稿が一致しない２つの画像の，１枚の用紙への出力を確実に回避できる。
【００１１】
また，前記印刷部は，前記判断部にて識別情報が一致しないと判断した場合に，前記判断部にて識別情報が一致した場合に印刷する画像と異なる画像である識別画像を印刷してもよい。ユーザが所望する画像と異なる画像が印刷されることで，ユーザが原稿の読み取りに失敗したことを認識することが期待できる。
【００１２】
また，前記印刷部は，前記識別画像として，原稿が不一致であることを示すマークを印刷するとよい。印刷物に，原稿が不一致であることを示すマーク（文字列や図柄等）が印刷されていることで，ユーザが原稿の読み取りに失敗したことを把握し易い。
【００１３】
また，前記印刷部は，前記識別画像として，前記判断部にて識別情報が一致した場合に印刷する画像と色違いの画像を印刷するとよい。印刷物に，ユーザ所望の画像と色違いの画像が印刷されていることで，ユーザが原稿の読み取りに失敗したことを把握し易い。
【００１４】
また，前記印刷部は，前記識別画像として，前記判断部にて識別情報が一致した場合に印刷する画像と配置が異なる画像を印刷するとよい。配置が異なる画像としては，例えば，第１面の画像と第２面の画像とで向きが不一致の画像を印刷する。印刷物に，ユーザ所望の画像配置と異なる画像が印刷されていることで，ユーザが原稿の読み取りに失敗したことを把握し易い。
【００１５】
また，本発明の画像形成装置は，前記判断部にて識別情報が一致しないと判断した場合に，前記第１読取部で読み取った前記第１面の画像と，前記第２読取部で読み取った前記第２面の画像と，の一方を削除し，再度，原稿を読み取る再読取部と，前記再読取部での読み取り時に，前記再読取部の読み取り対象の原稿から識別情報を取得する再取得部と，前記再取得部が取得した前記識別情報と，前記再取得部で削除されなかった画像の読み取り時に取得された識別情報とが一致するか否かを判断する再判断部と，前記再判断部にて識別情報が一致すると判断した場合に，前記再読取部で読み取った画像と前記削除部で削除されなかった画像とを１枚の用紙に印刷するリカバリ印刷部とを備えるとよい。この構成によれば，原稿が不一致の場合には，一方の面を再度読み取ることでリカバリが可能になる。また，一方の面のみを読み取ってリカバリを行うことで，始めからやり直して２面分を読み取る場合と比較して早期に印刷物を取得できる。
【００１６】
また，本発明の画像形成装置は，前記判断部にて識別情報が一致しないと判断した場合に，再度，原稿を読み取る第２再読取部と，前記第２再読取部での読み取り時に，前記第２再読取部の読み取り対象の原稿から識別情報を取得する第２再取得部と，前記第１取得部が取得した前記識別情報および前記第２取得部が取得した前記識別情報のうち，前記第２再取得部が取得した前記識別情報と一致する識別情報があるか否かを判断する第２再判断部と，前記第２再判断部にて一致する識別情報があると判断した場合，前記第２再読取部で読み取った画像と前記第２再判断部にて一致すると判断された識別情報に対応する画像とを１枚の用紙に印刷する第２リカバリ印刷部とを備えるとよい。この構成によれば，原稿が不一致の場合には，一方の面を再度読み取ることでリカバリが可能になる。また，リカバリを行う場合に，１回目の読み取り時の原稿と２回目の読み取り時の原稿とのどちらに一致するかを画像形成装置が判別している。これにより，ユーザは，誤った原稿が第１面か第２面かを意識することなくリトライを行うことができる。
【００１７】
また，本発明の画像形成装置は，前記判断部にて識別情報が一致しないと判断した場合に，原稿が不一致であることを報知する報知部を備えるとよい。報知方法としては，例えば，メッセージ表示，警告音，音声アナウンスが該当する。原稿の不一致を報知することで，ユーザが原稿の不一致を認識し易い。
【００１８】
また，前記判断部は，前記第１取得部が取得した前記識別情報と，前記第２取得部が取得した前記識別情報との少なくとも一方で，複数の識別情報を取得した場合には，識別情報が一致しないと判断するとよい。１度の読み取りに対して複数の識別情報が取得された場合には，原稿の特定が困難である。そのため，このような場合には，原稿が一致しないものとし，不適切な画像の出力を回避する方が望ましい。
【発明の効果】
【００１９】
本発明によれば，１つの原稿を複数回読み取り，その複数の画像を１枚の用紙に印刷する場合に，その出力物について，同じ原稿である可能性が高い画像形成装置が実現される。
【図面の簡単な説明】
【００２０】
【図１】実施の形態にかかるＭＦＰの外観を示す図である。
【図２】ＭＦＰの画像読取部の構成を示す断面図である。
【図３】実施の形態にかかるＭＦＰの電気的構成を示すブロック図である。
【図４】第１の形態におけるＩＤコピー処理の手順を示すフローチャートである。
【図５】ＩＤコピー機能を利用した際の出力画像の一例である。
【図６】第２の形態におけるＩＤコピー処理の手順を示すフローチャートである。
【図７】第２の形態におけるＩＤコピー処理の出力画像の一例（その１）である。
【図８】第２の形態におけるＩＤコピー処理の出力画像の一例（その２）である。
【図９】第３の形態におけるＩＤコピー処理の手順を示すフローチャートである。
【発明を実施するための形態】
【００２１】
以下，本発明にかかる画像形成装置を具体化した実施の形態について，添付図面を参照しつつ詳細に説明する。本形態は，原稿を複数回読み取り，それら読み取った画像を１枚の用紙に印刷する機能を有する複合機（ＭＦＰ：Multi Function Peripheral ）に本発明を適用したものである。
【００２２】
［ＭＦＰの構成］
本形態のＭＦＰ１００は，図１に示すように，用紙に画像を印刷する画像形成部１０（印刷部の一例）と，原稿の画像を読み取る画像読取部２０（第１読取部，第２読取部の一例）とを備えている。なお，画像形成部１０の画像形成方式は，電子写真方式であっても，インクジェット方式であってもよい。また，カラー画像の形成が可能であっても，モノクロ画像専用であってもよい。画像読取部２０も，カラー画像の読み取りが可能であっても，モノクロ読取専用であってもよい。
【００２３】
画像読取部２０には，前面側に，液晶ディスプレイからなる表示部４１，各種のボタン（例えば，スタートキー，ストップキー，テンキーの各ボタン）によって構成されるボタン群４２等を備えた操作パネル４０が設けられている。ＭＦＰ１００では，この表示部４１やボタン群４２により，動作状況の表示やユーザによる入力が可能になっている。
【００２４】
［画像読取部の構成］
画像読取部２０は，図２に示すように，原稿（例えば図２中の原稿９０）の画像の読み取りを行うスキャナ部２１と，原稿の自動搬送を行うＡＤＦ（Auto Document Feeder：自動原稿供給装置）２２とを備えている。
【００２５】
スキャナ部２１は，その上面に位置する透明なプラテンガラス２３，２４と，その内部に位置するイメージセンサ２５とを備えている。スキャナ部２１は，ＡＤＦ２２によって原稿が自動搬送される際には，プラテンガラス２３下に固定され，原稿の画像を読み取る。また，原稿がプラテンガラス２４上に載置される際には，副走査方向（図２の矢印Ａ方向）に移動して，原稿の画像を読み取る。
【００２６】
ＡＤＦ２２は，読み取り前の原稿を載置する原稿トレイ２２１と，読み取り後の原稿を載置する排出トレイ２２２とを備えている。ＡＤＦ２２は，原稿トレイ２２１に載置された原稿を１枚ずつ取り出し，その原稿を搬送路２２３を介してプラテンガラス２３に対向する位置に搬送する。そして，イメージセンサ２５が主走査方向に１ラインずつ原稿の画像を読み取る。その後，その原稿を排出トレイ２２２上に排出する。
【００２７】
また，画像読取部２０は，ＲＦＩＤ（Radio Frequency IDentification）タグを検知し，そのＲＦＩＤタグに対してデータの読み出しおよび書き込みを行うことが可能なＲ／Ｗ装置５０（第１取得部，第２取得部の一例）を備えている。Ｒ／Ｗ装置５０は，ＲＦＩＤタグが貼付された原稿が，原稿トレイ２２１上に載置された場合，あるいはプラテンガラス２４上に載置された場合に，そのＲＦＩＤタグにアクセス可能な範囲に配置される。
【００２８】
［ＭＦＰの電気的構成］
続いて，ＭＦＰ１００の電気的構成について説明する。ＭＦＰ１００は，図３に示すように，ＣＰＵ３１と，ＲＯＭ３２と，ＲＡＭ３３と，ＮＶＲＡＭ（Non Volatile RAM）３４とを備えた制御部３０を備えている。また，制御部３０は，画像形成部１０と，画像読取部２０と，操作パネル４０と，ネットワークインターフェース３７とに，電気的に接続されている。
【００２９】
ＲＯＭ３２には，ＭＦＰ１００を制御するための制御プログラムであるファームウェアや各種設定，初期値等が記憶されている。ＲＡＭ３３およびＮＶＲＡＭ３４は，各種制御プログラムが読み出される作業領域として，あるいは印刷データを一時的に記憶する記憶領域として利用される。
【００３０】
ＣＰＵ３１（判断部の一例）は，ＲＯＭ３２から読み出した制御プログラムや各種センサから送られる信号に従って，その処理結果をＲＡＭ３３またはＮＶＲＡＭ３４に記憶させながら，ＭＦＰ１００の各構成要素を制御する。
【００３１】
ネットワークインターフェース３７は，他の装置との通信を可能にするインターフェースである。ＭＦＰ１００は，ネットワークインターフェース３７を介して他の装置から送信される印刷データを受信する。
【００３２】
［ＭＦＰの制御］
続いて，ＭＦＰ１００の制御について説明する。ＭＦＰ１００は，ＲＦＩＤタグが貼付された特殊な原稿に対し，その原稿の表面と裏面との２回の読み取りを行い，それら読み取った画像を１枚の用紙に印刷するＩＤコピーモードを有する。このＩＤコピーモードは，例えば免許証や保険証，あるいはパスポートといった特定の原稿の，複数の画像を読取って１枚の用紙に印刷する場合に好適である。なお，ＩＤコピーモードを利用する際の原稿は，個人認証に用いられる特殊な原稿に限るものではない。
【００３３】
［ＩＤコピー処理］
［第１の形態］
以下，ＩＤコピーモードを実現するＩＤコピー処理（第１読取部，第１取得部，第２読取部，第２取得部，判断部，印刷部，再読取部，再取得部，再判断部，リカバリ印刷部，報知部の一例）について，図４のフローチャートを参照しつつ説明する。ＩＤコピー処理は，ユーザが操作パネル４０を操作し，ＩＤコピーモードに切り換え，その状態でＭＦＰ１００に実行指示が入力されたことを契機に，制御部３０によって実行される。
【００３４】
第１の形態のＩＤコピー処理では，先ず，原稿の第１面をセットし，読み取り開始指示を入力する旨のメッセージを，操作パネル４０の表示部４１に表示する（Ｓ１０１）。原稿は，ＡＤＦ２２にセットしてもよいし，プラテンガラス２４上にセットしてもよい。どちらの場合であっても，原稿は１枚のみセットする。
【００３５】
その後，原稿の読み取り指示が入力されると，画像読取部２０によってその原稿の読み取りを開始する（Ｓ１０２，第１読取部および第１取得部の一例）。読み取った原稿の画像は，第１面の画像としてＲＡＭ３３あるいはＮＶＲＡＭ３４に記憶される。また，Ｓ１０２での原稿の読み取りの際，Ｒ／Ｗ装置５０が原稿に貼付されたＲＦＩＤタグにアクセスし，そのＲＦＩＤタグに記憶されている情報を取得する。本形態では，ＲＦＩＤタグから原稿の識別番号を取得する。
【００３６】
なお，Ｓ１０２の際，原稿にＲＦＩＤタグが貼付されていない，あるいはＲＦＩＤタグにアクセスしたものの識別情報を取得できない，あるいは複数のＲＦＩＤタグにアクセスしたために識別番号を特定できない等，読み取り対象の原稿の識別情報の取得に失敗した場合には，その旨のメッセージを表示部４１に表示し，原稿の読み取りのやり直しを指示する。
【００３７】
原稿の第１面の読み取りおよびＲＦＩＤタグからの識別情報の取得に成功した後は，原稿の第２面をセットし，読み取り開始指示を入力する旨のメッセージを，操作パネル４０の表示部４１に表示する（Ｓ１０３）。
【００３８】
その後，原稿の読み取り指示が入力されると，画像読取部２０によってその原稿の読み取りを開始する（Ｓ１０４，第２読取部および第２取得部の一例）。読み取った原稿の画像は，第２面の画像としてＲＡＭ３３あるいはＮＶＲＡＭ３４に記憶される。また，Ｓ１０４での原稿の読み取りの際，Ｓ１０２と同様に，Ｒ／Ｗ装置５０が原稿に貼付されたＲＦＩＤタグにアクセスし，そのＲＦＩＤタグに記憶されている情報を取得する。なお，Ｓ１０４の際に，読み取り対象の原稿の識別情報の取得に失敗した場合には，その旨のメッセージを表示部４１に表示し，原稿の読み取りのやり直しを指示する。
【００３９】
Ｓ１０４にてＲＦＩＤタグからの識別情報の取得に成功した後は，Ｓ１０２で取得した識別情報と，Ｓ１０４で取得した識別情報とが一致するか否かを判断する（Ｓ１０５，判断部の一例）。すなわち，Ｓ１０２で読み取り対象となった原稿とＳ１０４で読み取り対象となった原稿とが，同じが否かを判断する。なお，Ｓ１０５の判断では，Ｓ１０２で取得した１つの識別情報と，Ｓ１０４で取得した１つの識別情報とを比較している。そのため，いずれか一方のステップで複数の識別情報を取得した場合にはどの識別情報を比較対象とするか不明となる。このことから，識別情報を特定できない場合には，Ｓ１０５にて不一致と判断される。
【００４０】
識別情報が一致する場合には（Ｓ１０５：ＹＥＳ），第１面と第２面とが同じ原稿から読み取られたものと判断でき，第１面の画像と第２面の画像とを１枚の用紙に印刷するための合成画像を作成する（Ｓ１０６）。合成画像の作成後は，第１面の画像と第２面の画像とをメモリから削除し，作成した合成画像の印刷を開始する（Ｓ１０７，印刷部の一例）。Ｓ１０７の後は，ＩＤコピー処理を終了する。
【００４１】
図５は，Ｓ１０６で作成される合成画像の例である。この例では，ＲＦＩＤタグ９２が貼付された原稿９０について，図５（Ａ）に示すように，Ｓ１０２で読み取られた画像を画像Ｐとし，Ｓ１０４で読み取られた画像を画像Ｑとする。そして，用紙９１に印刷される合成画像は，図５（Ｂ）に示すように，画像Ｐと画像Ｑとを並列に配置し，用紙９１に収まるサイズに必要に応じて変更した画像Ｒとする。なお，本形態では，用紙９１の片面に画像Ｐと画像Ｑとを印刷するため，合成画像を必要としているが，用紙９１の一方の面に画像Ｐ，他方の面に画像Ｑとなるように両面印刷する場合には，合成画像の作成は不要である。
【００４２】
一方，識別情報が一致しない場合には（Ｓ１０５：ＮＯ），第１面と第２面とで原稿が一致しない旨のエラーメッセージを，操作パネル４０の表示部４１に表示する（Ｓ１２１，報知部の一例）。その後，読み取りのリトライを行うか否かを，ユーザに問い合わせる（Ｓ１２２）。
【００４３】
リトライを行うことが指示された場合には（Ｓ１２２：ＹＥＳ），Ｓ１０４で読み取った第２面の画像をメモリから削除し（Ｓ１２３），Ｓ１０３に戻ってユーザに第２面の原稿のセットを指示した後，Ｓ１０４にて第２面の読み取りおよび識別情報の取得をやり直す（再読取部，再取得部の一例）。そして，Ｓ１０４にて再度取得した識別情報とＳ１０２で取得した識別情報とが一致するか否かを判断する（再判断部の一例）。そして，識別情報が一致する場合には，Ｓ１０４にて再度読み取った画像とＳ１０２にて読み取った画像との合成画像を作成し（Ｓ１０６），その合成画像の印刷を開始する（Ｓ１０７，リカバリ印刷部の一例）。このように第２面の読み取りのリトライを行うことで，始めからやり直して２面分の画像を読み取る場合と比較して早期に印刷物を取得できる。
【００４４】
一方，リトライを行わないことが指示された場合には（Ｓ１２２：ＮＯ），Ｓ１０２およびＳ１０４で記憶した画像をメモリから削除する（Ｓ１２４）。そして，印刷を開始することなく，ＩＤコピー処理を終了する。
【００４５】
前述したように第１の形態のＩＤコピー処理では，２回の原稿の読み取りに際して，それぞれ原稿に貼付されているＲＦＩＤタグから識別情報を取得し，１回目の読み取りで取得した識別情報と，２回目の読み取りで取得した識別情報とを照合し，両者が一致する場合に印刷を行っている。すなわち，原稿が一致すると判断した上で，それぞれ読み取った画像を１枚の用紙に印刷している。これにより，その印刷物について，原稿の同一性を確保できる。
【００４６】
なお，第１の形態では，識別情報が不一致であればリトライを行うかもしくはＩＤコピー処理自体を終了しているが，原稿の不一致を報知した上で，印刷を行ってもよい。すなわち，Ｓ１２１にて原稿の不一致を報知することで，少なくともユーザが，印刷物に印刷されている複数の画像について同一の原稿から読み取られた画像ではないことを把握することが，期待できる。
【００４７】
また，第１の形態では，識別情報が一致していれば，その旨を報知することなく印刷を開始しているが，原稿が一致することを報知した上で印刷を開始してもよい。原稿の一致を報知することで，ユーザが，印刷物に印刷されている複数の画像について同一の原稿から読み取られた画像であることを把握することが，期待できる。
【００４８】
また，第１の形態では，リトライを行う際，第２面の読み取りをやり直しているが，第１面の読み取りをやり直してもよい。また，リトライを行うにあたって，読み取りをやり直す面をユーザに問い合わせ，ユーザが選択した面についてリトライを行うようにしてもよい。
【００４９】
［第２の形態］
続いて，ＩＤコピー処理の別形態について，図６のフローチャートを参照しつつ説明する。本形態のＩＤコピー処理では，識別情報が不一致であった場合，識別情報が一致した場合と異なる画像を印刷する。この点，識別情報が不一致であった場合，エラーを報知し，第２面の画像の読み取りのリトライあるいはＩＤコピー処理のキャンセルを行う第１の形態と異なる。なお，第１の形態と同じ処理については，第１の形態と同じ符号を付し，説明を省略する。
【００５０】
第２の形態のＩＤコピー処理では，Ｓ１０１からＳ１０５までの処理は，第１の形態と同様である。また，Ｓ１０６およびＳ１０７の，識別情報が一致する場合（Ｓ１０５：ＹＥＳ）の処理についても，第１の形態と同様である。
【００５１】
一方，識別情報が一致しない場合には（Ｓ１０５：ＮＯ），Ｓ１０６にて作成される合成画像と異なる合成画像である第２合成画像を作成する（Ｓ２２１）。具体的に，第２合成画像としては，識別情報が一致した場合，すなわち原稿が一致したときに印刷される画像と異なることが，ユーザが一目で把握できるような画像が好ましい。例えば，図７に示すように，不一致であることを示すマークＲ１０が合成された画像Ｒ１を作成する。マークは，文字列であっても画像であってもよい。また，例えば，図８に示すように，第１目の画像と第２面の画像とのいずれか一方の画像の向きを変更し，原稿が一致したときに印刷される画像（図５参照）と画像の配置が異なる画像Ｒ２を作成する。また，例えば，原稿が一致したときに印刷される画像がカラー画像である場合には，原稿が一致しなかったときに印刷される画像をモノクロ画像にしてもよい。
【００５２】
前述したように第２の形態のＩＤコピー処理では，１回目の読み取りで取得した識別情報と２回目の読み取りで取得した識別情報とが一致しなかった場合に作成する合成画像を，一致した場合に作成する合成画像と異なる画像にしている。これにより，原稿が不一致であった場合には，ユーザ所望の画像が得られない。換言すると，原稿が一致した場合についてのみユーザ所望の画像が得られる。このことから，原稿の同一性を確保できる。
【００５３】
［第３の形態］
続いて，ＩＤコピー処理の更なる別形態について，図９のフローチャートを参照しつつ説明する。本形態のＩＤコピー処理（第２再読取部，第２再取得部，第２再判断部，第２リカバリ部の一例）では，識別情報が不一致であってリトライを行う場合，リトライを行う原稿の面を設定しない。この点，原稿の第２面についてリトライを行う第１の形態と異なる。なお，第１の形態と同じ処理については，第１の形態と同じ符号を付し，説明を省略する。
【００５４】
第３の形態のＩＤコピー処理では，Ｓ１０１からＳ１０５までの処理は，第１の形態と同様である。また，Ｓ１０６およびＳ１０７の，識別情報が一致する場合（Ｓ１０５：ＹＥＳ）の処理についても，第１の形態と同様である。
【００５５】
一方，識別情報が一致しない場合には（Ｓ１０５：ＮＯ），第１面と第２面とで原稿が一致しない旨のエラーメッセージを，操作パネル４０の表示部４１に表示する（Ｓ１２１，報知部の一例）。その後，リトライを行う原稿をセットし，読み取りの開始指示を入力する旨のメッセージを，操作パネル４０の表示部４１に表示する（Ｓ３２１）。Ｓ３２１では，原稿の読み取り面までは指定しない。
【００５６】
その後，原稿の読み取りが指示されると，画像読取部２０によってその原稿を読み取る（Ｓ３２２，第２再読取部，第２再取得部の一例）。読み取った原稿の画像は，ＲＡＭ３３あるいはＮＶＲＡＭ３４に記憶される。また，Ｓ３２２での原稿の読み取りの際，Ｒ／Ｗ装置５０が原稿に貼付されたＲＦＩＤタグにアクセスし，そのＲＦＩＤタグに記憶されている情報を取得する。
【００５７】
そして，ＲＦＩＤタグからの識別情報の取得に成功した後は，Ｓ３２２で取得した識別情報と，Ｓ１０２で取得した識別情報とが一致するか否かを判断する（Ｓ３２３，第２再判断部の一例）。識別情報が一致する場合には（Ｓ３２３：ＹＥＳ），Ｓ３２２で再読み取りを行った原稿は第１面の画像を読み取った原稿と同じものと判断でき，Ｓ３２２では第２面の画像のリカバリと判断できる。そこで，Ｓ１０４で読み取った第２面の画像をメモリから削除する（Ｓ３３１）。そして，Ｓ１０６に移行し，Ｓ１０２で読み取った画像とＳ３２２で読み取った画像とを１枚の用紙に印刷するための合成画像を作成する（Ｓ１０６）。合成画像の作成後は，その合成画像の印刷を開始する（Ｓ１０７，第２リカバリ印刷部の一例）。
【００５８】
一方，Ｓ３２２で取得した識別情報がＳ１０２で取得した第１面の識別情報と一致しない場合には（Ｓ３２３：ＮＯ），Ｓ３２２で取得した識別情報と，Ｓ１０４で取得した第２面の識別情報とが一致するか否かを判断する（Ｓ３２４，第２再判断部の一例）。識別情報が一致する場合には（Ｓ３２４：ＹＥＳ），Ｓ３２２で再読み取りを行った原稿は第２面の画像を読み取った原稿と同じものと判断でき，Ｓ３２２では第１面の画像のリカバリと判断できる。そこで，Ｓ１０２で読み取った画像をメモリから削除する（Ｓ３４１）。そして，Ｓ１０６に移行し，Ｓ１０４で読み取った画像とＳ３２２で読み取った画像とを１枚の用紙に印刷するための合成画像を作成する（Ｓ１０６）。合成画像の作成後は，その合成画像の印刷を開始する（Ｓ１０７，第２リカバリ印刷部の一例）。
【００５９】
一方，Ｓ３２２で取得した識別情報がＳ１０４で取得した第２面の識別情報とも一致しない場合には（Ｓ３２４：ＮＯ），Ｓ３２２で再読み取りを行った原稿は，第１面の画像を読み取った原稿とも第２面の画像を読み取った原稿とも異なるものと判断できる。そのため，Ｓ１２１に移行し，エラーを報知して原稿の読み取りをやり直す。
【００６０】
前述したように第３の形態のＩＤコピー処理では，１回目の読み取りで取得した識別情報と２回目の読み取りで取得した識別情報とが一致しなかった場合に，リトライを行う原稿の面を指定せず，ＭＦＰ１００がどちらの面が読み取られたかを自動判別している。これにより，ユーザは，誤った原稿が第１面か第２面かを意識することなくリトライを行うことができる。
【００６１】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，複写機等，画像読取機能および画像送信機能を備えるものであれば適用可能である。
【００６２】
また，実施の形態では，原稿から識別情報を取得する方法として，原稿に組み込まれたＲＦＩＤタグの情報を読み出しているが，これに限るものではない。例えば，原稿に印刷されたバーコードやＱＲコードを読み取る方法がある。
【００６３】
また，実施の形態では，読み取り指示やエラー報知を，操作パネル４０の表示部にメッセージ表示しているが，報知方法としてはこれに限るものではない。例えば，警告音，音声アナウンスであってもよい。
【符号の説明】
【００６４】
１０    画像形成部
２０    画像読取部
５０    Ｒ／Ｗ装置
９０    原稿
９１    用紙
９２    ＲＦＩＤタグ
１００  ＭＦＰ
【図１】
2013077943.tif 000003
【図２】
2013077943.tif 000004
【図３】
2013077943.tif 000005
【図４】
2013077943.tif 000006
【図５】
2013077943.tif 000007
【図６】
2013077943.tif 000008
【図７】
2013077943.tif 000009
【図８】
2013077943.tif 000010
【図９】
2013077943.tif 000011